(57)【要約】【課題】完全ロックそして特性インピーダンスの整合が可能な同軸コネクタ組立体を提供することを課題とする。【解決手段】同軸端子２０，５０をハウジング３０，６０で保持するプラグコネクタＩそしてレセプタクルコネクタIIとを備え、プラグコネクタＩのハウジング３０とレセプタクルコネクタIIのハウジング６０は、両ハウジングの所定嵌合位置で係合して互いの抜出を阻止する解除可能なロック機構３２，６３Ａを有し、ロック状態で同軸端子２０，５０の挿抜方向となる軸線方向での同軸端子同士の相対移動範囲が同軸端子同士の嵌合開始時での中心端子２１，５２同士そして外側端子２２，５５同士の接触開始位置から嵌合終了時の接触終了位置までの距離として示される中心端子有効嵌合長そして外側端子有効嵌合長の短い方をなす最小有効嵌合長よりも小さく設定されており、最小有効嵌合長の軸線方向範囲が特定インピーダンスに整合されている。【選択図】図５
2019003856.tif 000002
【特許請求の範囲】
【請求項１】
同軸ケーブルの中心端子と該中心端子を包囲する外側端子を有する同軸端子を電気絶縁材のハウジングで保持するプラグコネクタそしてレセプタクルコネクタとを備え、少なくとも一方がケーブルコネクタである同軸コネクタ組立体において、
プラグコネクタのハウジングとレセプタクルコネクタのハウジングは、両ハウジングの所定嵌合位置で係合して互いの抜出を阻止する解除可能なロック機構を有し、ロック状態で上記同軸端子の挿抜方向となる軸線方向での同軸端子同士の相対移動範囲が上記同軸端子同士の嵌合開始時での中心端子同士そして外側端子同士の接触開始位置から嵌合終了時の接触終了位置までの距離として示される中心端子有効嵌合長そして外側端子有効嵌合長の短い方をなす最小有効嵌合長よりも小さく設定されており、
上記最小有効嵌合長の軸線方向範囲が特定インピーダンスに整合されていることを特徴とする同軸コネクタ組立体。
【請求項２】
上記プラグコネクタと上記レセプタクルコネクタの一方のコネクタの同軸端子の外側端子は、中心端子の中心接触部に対する軸線方向での対応範囲よりも小径で該対応範囲から他方のコネクタの同軸端子に向け延びる外側接触部を有し、他方のコネクタの同軸端子の外側端子は、誘電体に外装される外装基部よりも小径で軸線方向で中心端子の途中位置まで延びる外側接触部を有し、他方のコネクタの同軸端子の中心端子は、軸線方向で外側端子よりも一方のコネクタの同軸端子の方へ突出する中心接触部の径が該他方のコネクタの同軸端子の上記外側接触部で包囲された部分よりも大きいこととする請求項１に記載の同軸コネクタ組立体。
【請求項３】
上記プラグコネクタと上記レセプタクルコネクタの同軸端子同士間の相対移動範囲は、両コネクタのロック状態における軸線方向でのハウジング同士間の隙間と、各ハウジングとこれに対応する外側端子との間の軸線方向でのガタとの和で定まる範囲であることとする請求項１または請求項２に記載の同軸コネクタ組立体。
【請求項４】
上記プラグコネクタ及び上記レセプタクルコネクタは、上記同軸端子を複数収容していることとする請求項１ないし請求項３のうちの一つに記載の同軸コネクタ組立体。
【請求項５】
上記レセプタクルコネクタは、該レセプタクルコネクタのハウジング内に金属製のシールドシェルを有し、該シールドシェルが複数の中心端子、誘電体そして外側端子を一括して収容するように形成され、該レセプタクルコネクタと上記プラグコネクタとの嵌合状態では、上記シールドシェルのコネクタ嵌合側部分が上記プラグコネクタのハウジング内に進入して該プラグコネクタの外側端子と接触するようになっていることとする請求項１ないし請求項４のうちの一つに記載の同軸コネクタ組立体。
【請求項６】
上記シールドシェルは、上記レセプタクルコネクタの各外側端子を離隔状態で包囲支持する支持筒部を有していることとする請求項５に記載の同軸コネクタ組立体。
【請求項７】
上記プラグコネクタは、同軸端子の位置を定めるリテーナを有していることとする請求項１ないし請求項５のうちの一つに記載の同軸コネクタ組立体。
【発明の詳細な説明】
【技術分野】
【０００１】
本発明は同軸コネクタ組立体に関する。
【背景技術】
【０００２】
同軸コネクタは、同軸ケーブルの芯線に接続された中心端子と、同軸ケーブルのシールド線に接続され該中心端子を包囲する外側端子とを有する同軸端子において、中心端子に対して外側端子が電磁漏洩のないようになっているとともに、中心端子と外側端子との距離が、コネクタ嵌合状態で、嵌合部分のいずれの位置においても、中心端子と外側端子の間の誘電率を考慮した上で特定のインピーダンスとなっていることが求められる。
【０００３】
特許文献１では、かかるインピーダンス特性を確保するために、中心端子の外径をｄ、外側端子の内径をＤ、中心端子と外側端子の間の誘電率をεとしたときに、プラグコネクタとレセプタクルコネクタの嵌合状態で、中心端子同士そして外側端子同士の接触の際の有効嵌合長の軸線方向範囲における任意位置で（１／√ε）×ｌｏｇ（Ｄ／ｄ）が一定となる特性インピーダンスをもたせることを提案している。特許文献１の同軸コネクタ組立体は、プラグコネクタ（プラグ）とレセプタクルコネクタ（ジャック）がワンタッチ・スライドイン（スナップイン）方式を前提としており、特許文献１の記載によると、両コネクタが嵌合方向となる軸線方向で、所定嵌合状態でも両コネクタ間が軸線方向に生ずる隙間によって、両コネクタが軸線方向に該隙間の分だけ相対移動しても、上述の特性インピーダンスを維持できるとしている。
【０００４】
特許文献１の同軸コネクタ組立体で採用されているワンタッチ・スライドイン方式とは、例えば、特許文献２でスナップイン方式として開示されているように、両コネクタが単軸をなして中心端子同士そして外側端子同士が接続される状態で、両コネクタの筒状の外側端子同士が軸線方向でスライド嵌合し、所定嵌合位置で係止するようになっている。この係止を可能とするように、両外側端子の筒状の嵌合面の一方に、軸線に対して直角な面での断面形状がＶ字状の環状溝、他方にこれに係合する環状突部が設けられている。かくして、両外側端子が所定の嵌合位置まで相対的にスライドすると、環状突部が環状溝に係止して、コネクタの抜け防止の機能をもつようになる。
【先行技術文献】
【特許文献】
【０００５】
【特許文献１】特許第３０１１６７１号
【特許文献２】実開昭６４−０１９２７７
【発明の概要】
【発明が解決しようとする課題】
【０００６】
しかしながら、このような中心端子と外側端子を有している同軸コネクタにおいて、筒状の外側端子同士が上述のスナップイン方式により抜け防止対策がなされているとはいえ、その係止がＶ字状の環状突起と環状溝であるので、抜出方向に意図せぬ外力が強く作用すると互いのＶ字の斜面を乗り上げて抜けてしまう。また、特許文献２では、スナップイン嵌合を可能とするように、一方の外側端子に、軸線方向に延びるスリ割りを周方向の複数位置に形成してスナップイン時の弾性拡径を可能としている関係上、上記スリ割り電磁漏洩が生ずる虞れがあり、その対策として嵌合し合う二つの外側端子にわたり熱収縮性の導電性チューブを外嵌することにより上述したスリ割りでの電磁漏洩が防止されるとともに、両側端子の抜け防止が多少強化されることとなる。
【０００７】
しかしながら、この方式にあっても、導電性チューブは比較的薄いものでないと熱収縮の効果は期待できず、その軸線方向での結合強度は十分とは言えず、さらに、コネクタは意図する所定時には係合を解除、すなわち、外側端子同士が抜出可能となっていることが求められ、しかる時には導電性チューブは破壊しなくてはならず、意図してコネクタの挿抜を繰り返す場合には、極めて不便である。
【０００８】
したがって、コネクタ結合時の係止を完全に行うには、外側端子に依らずに、外側端子を保持するハウジング同士に解除可能なロック機構を設けることが必要となる。一般のコネクタでは、このロック機構は一方のハウジングに爪をもつ弾性腕を設け、他方ハウジングにこの爪に係止する他の爪を設けることで、コネクタ嵌合時に上記弾性腕が梃子の原理で弾性撓みを生じて該弾性腕に設けられた爪が、相手コネクタの他の爪を乗り越えて、爪同士で軸線方向に係止して、意図して上記弾性腕に解除力を加えない限り、ハウジング同士は抜けることがなく、いわゆる完全ロックが得られる。
【０００９】
しかしながら、この完全ロック方式を同軸コネクタに採用すると、新たな課題が生ずる。この完全ロック方式では、爪同士の係止によるロックが可能であることに加え、このロック解除のために弾性腕が弾性撓みを生ずることができることも必要であり、ロックそしてロック解除の際、爪同士が衝突・摩擦等の干渉を起こさないようにするために、ハウジング同士が軸線方向で、限定された範囲で相対移動可能となるよう隙間を与えられている。嵌合し合う二つのコネクタの少なくとも一方がケーブルコネクタとなっている場合、ケーブルに該ケーブルを引張る外力が作用すると、上記隙間で両コネクタは相対的移動を生ずることとなる。したがって、同軸コネクタにあっては、この隙間、さらには外側端子とハウジングとの組立時の軸線方向のガタの和の分だけ、同軸端子同士がコネクタ嵌合状態で軸線方向に相対的にずれる可能性があり、このずれが、既述した特性インピーダンスに影響を与える可能性がでてくる。
【００１０】
本発明は、かかる事情に鑑み、同軸コネクタ組立体において、特性インピーダンスを維持しつつ、解除可能な完全ロックを行うことができるようにすることを課題とする。
【課題を解決するための手段】
【００１１】
本発明に係る同軸コネクタ組立体は、中心端子と該中心端子を包囲する外側端子を有する同軸端子を電気絶縁材のハウジングで保持するプラグコネクタそしてレセプタクルコネクタとを備え、少なくとも一方がケーブルコネクタである。
【００１２】
かかる同軸コネクタ組立体において、本発明では、プラグコネクタのハウジングとレセプタクルコネクタのハウジングは、両ハウジングの所定嵌合位置で係合して互いの抜出を阻止する解除可能なロック機構を有し、ロック状態で上記同軸端子の挿抜方向となる軸線方向での同軸端子同士の相対移動範囲が上記同軸端子同士の嵌合開始時での中心端子同士そして外側端子同士の接触開始位置から嵌合終了時の接触終了位置までの距離として示される中心端子有効嵌合長そして外側端子有効嵌合長の短い方をなす最小有効嵌合長よりも小さく設定されており、上記最小有効嵌合長の軸線方向範囲が特定インピーダンスに整合されていることを特徴としている。
【００１３】
このような構成の本発明によると、両コネクタのハウジング同士がロック機構を有しているので、意図したときのみ解除可能な、いわゆる完全ロックがなされることに加え、両コネクタの同軸端子同士間で上記最小有効嵌合長の軸線方向範囲が特定インピーダンスに整合されており、上記同軸端子同士間の軸線方向での相対移動範囲が上記最小有効長よりも小さいので、ロック状態で両同軸コネクタが上記相対移動範囲で相対移動しても、上記特定インピーダンスの整合は確保されることとなる。
【００１４】
本発明において、上記プラグコネクタと上記レセプタクルコネクタの一方のコネクタの同軸端子の外側端子は、中心端子の中心接触部に対する軸線方向での対応範囲よりも小径で該対応範囲から他方のコネクタの同軸端子に向け延びる外側接触部を有し、他方のコネクタの同軸端子の外側端子は、誘電体に外装される外装基部よりも小径で軸線方向で中心端子の途中位置まで延びる外側接触部を有し、他方のコネクタの同軸端子の中心端子は、軸線方向で外側端子よりも一方のコネクタの同軸端子の方へ突出する中心接触部の径が該他方のコネクタの同軸端子の上記外側接触部で包囲された部分よりも大きく形成することができる。
【００１５】
このような構成にすることで、最小有効嵌合長の軸線方向範囲で特定インピーダンスの整合を図ることができる。
【００１６】
本発明において、上記プラグコネクタと上記レセプタクルコネクタの同軸端子同士間の相対移動範囲は、両コネクタのロック状態における軸線方向でのハウジング同士間の隙間と、各ハウジングとこれに対応する外側端子との間の軸線方向でのガタとの和で定まる範囲とすることができる。
【００１７】
このように構成することで、ロック機構に必要な軸線方向隙間そして各コネクタのハウジングと外側端子との間に必然的に生ずるガタとを考慮した際に、ロック状態において、同軸端子同士間で軸線方向に相対移動があっても、特定インピーダンスの整合は確保される。
【００１８】
本発明において、上記プラグコネクタ及び上記レセプタクルコネクタは、上記同軸端子を複数収容しているようにすることができる。このように構成することで、両コネクタはハウジング同士で嵌合することで、複数の同軸端子同士が一度に嵌合接続されるようになる。
【００１９】
本発明において、上記レセプタクルコネクタは、該レセプタクルコネクタのハウジング内に金属製のシールドシェルを有し、該シールドシェルが複数の中心端子、誘電体そして外側端子を一括して収容するように形成され、該レセプタクルコネクタと上記プラグコネクタとの嵌合状態では、上記シールドシェルのコネクタ嵌合側部分が上記プラグコネクタのハウジング内に進入して該プラグコネクタの外側端子と接触するようになっているようにすることができる。
【００２０】
このような構成にあっては、シールドシェルが複数の同軸端子を一括してシールドすることができ、その際、一つのシールドシェルが各同軸端子を分離してそれぞれをシールドするように形成されていることが好ましく、例えば、上記シールドシェルは、上記レセプタクルコネクタの各外側端子を離隔状態で包囲支持する支持筒部を有しているように構成することができる。
【００２１】
本発明において、上記プラグコネクタは、同軸端子の位置を定めるリテーナを有しているようにすることができる。こうすることで、各同軸端子は、相互間の距離が一定する。
【発明の効果】
【００２２】
本発明は、以上のように、同軸コネクタにおいて、ハウジングに解除可能な完全ロックのためのロック機構を設け、完全ロックに必要な嵌合状態のもとで軸線方向での同軸端子同士間の相対移動範囲が、中心端子有効嵌合長そして外側端子有効嵌合長の短い方をなす最小有効嵌合長よりも小さく設定され、この最小有効嵌合長の軸線方向範囲は、特定インピーダンスに整合されていることとしたので、完全ロックを確保し、しかもコネクタ嵌合状態で、上記隙間そしてガタにより軸線方向移動があっても、上記特性インピーダンスに何ら影響をもたらさない。
【図面の簡単な説明】
【００２３】
【図１】本発明の同軸コネクタ組立体をなすプラグコネクタとレセプタクルコネクタとを、それらの嵌合接続前の状態での外観を示す斜視図である。
【図２】図１のプラグコネクタに用いられる同軸ケーブル、中心端子、外側端子等、同軸端子付ケーブルを構成する各部材を分離して示す斜視図である。
【図３】図１のプラグコネクタについて、図２で得られる同軸端子付ケーブルをその四本のうち三本だけハウジングへ組み込んだ組立過程で、リテーナの取付前を示す斜視図である。
【図４】図１のレセプタクルコネクタについて、各部材を分離して示す組立前の斜視図である。
【図５】図１の同軸コネクタ組立体（嵌合接続状態）を示し、（Ａ）は平面図、（Ｂ）は側面図、（Ｃ）は（Ｂ）におけるVC-VC線断面図で、プラグコネクタがレセプタクルコネクタに対して最前進位置にあるときを示している。
【図６】図１の同軸コネクタ組立体（嵌合接続状態）を示し、（Ａ）は平面図、（Ｂ）は側面図、（Ｃ）は（Ｂ）におけるVIC-VIC線断面図で、プラグコネクタがレセプタクルコネクタに対して最前進位置から隙間分だけ後方に移動した位置にあるときを示している。
【図７】本発明の他の実施形態としてのレセプタクルコネクタについての断面図である。
【発明を実施するための形態】
【００２４】
以下、本発明の一実施形態としての同軸コネクタ組立体を添付図面にもとづき説明する。
【００２５】
図１及び図５（Ａ）〜（Ｃ）は、本実施形態の同軸コネクタ組立体であって、該同軸コネクタ組立体を成すプラグコネクタＩとレセプタクルコネクタIIの嵌合接続前の状態での外観を示す斜視図である。
【００２６】
図１にて、プラグコネクタIは、同軸端子が同軸ケーブルに取り付けられた四本の同軸端子付ケーブル１０を電気絶縁材製の略四角筒状のハウジング３０で一括して保持している。ここで、同軸ケーブルは、導体として芯線とシールド線を有し、芯線に中心端子が接続されそして該芯線を包囲するシールド線に外側端子が接続される。中心端子と外側端子とで同軸端子を形成し、この同軸端子が接続された状態で、芯線と中心端子が中心導体、シールド線と外側端子が外部導体を形成する。
【００２７】
各同軸端子付ケーブル１０は、図１の状態では、同軸ケーブル１１の一端に同軸端子２０が取り付けられて形成されており、同軸ケーブル１１自体は、該同軸ケーブル１１への同軸端子２０の取付前を示す図２に見られるように、中心導体のうちのケーブル部分をなす撚線としての芯線１３と、該芯線１３を包囲する誘電体１４と、該誘電体１４の周囲を包囲する金属細線による編組で外部導体のうちのケーブル部分をなすシールド線１５と、該シールド線１５を覆う絶縁材の外皮１６とから成っており、同軸端子２０の取り付けに際しては、芯線１３、誘電体１４、シールド線１５の順に一端側に向け突出露呈している。
【００２８】
かかる同軸ケーブル１１には、同軸端子２０が取り付けられる。同軸端子２０は、図２に見られるように、中心導体のうちの端子部分をなす中心端子２１と外部導体のうちの端子部分をなす外側端子２２とを有している。
【００２９】
上記中心端子２１は、金属帯状体をその長手方向に中心軸線をもつような段付の略円筒状に成形そして接合加工されており、図２では上部に接合線が位置している。この略円筒状の中心端子２１は、その軸線方向中間部に縮径部２１Ａが形成されており、該縮径部２１Ａの外周面に他部よりも大径となる円筒状の誘電体２３が保持されている。上記略円筒状の中心端子２１は、図２に見られるように、上記縮径部２１Ａに対し図２にて軸線方向で芯線１３側となる後部に該芯線１３に外嵌され接続される中心接続部２１Ｂと、縮径部２１Ａよりも相手コネクタ側となる前部に形成されて相手コネクタの中心端子を受入れる中心接触部２１Ｃとを有している。以下、軸線方向での前後方向は、プラグコネクタＩとレセプタクルコネクタIIについて、両者が互いに近づく方向を前方あるいは前部としている。すなわち、プラグコネクタＩについてはレセプタクルコネクタII寄り方向を前方、前部とし、レセプタクルコネクタIIについては、プラグコネクタＩ寄りを前方、前部としている。
【００３０】
上記中心接続部２１Ｂは、芯線１３に対し半田接続あるいは圧着等により接続され、図５（Ｃ）では半田接続の例として示されており、この図５（Ｃ）で芯線１３は半田と一体に示されていて半田の分だけ該芯線１３の前端が太くなっているように図示されている。一方、上記中心接触部２１Ｃは、図２に見られるように、その前端側で該中心接触部２１Ｃの肉厚方向（半径方向）に貫通するスリット２１Ｃ−１が周方向の複数位置で前端に向け延びて形成されており、この複数のスリット２１Ｃ−１により中心接触部２１Ｃは弾性拡径可能となっている。該中心接触部２１Ｃの前端縁は相手方の中心端子の進入を容易とするテーパ導入部２１Ｃ−２を有している。
【００３１】
外側端子２２は、中心端子２１と同様に金属帯板をその長手方向を中心軸線として略円筒状に成形され、図２に見られるように、上部に軸線方向に延びる接合線が位置している。上記外側端子２２は後部、中間部、前部に縮径部を有し、後部が、同軸ケーブル１１のシールド線１５と誘電体１４との間に挿入された後に、該シールド線１５の外周で後述の締結金具２４によりカシメ結合される外側接続部２２Ａを形成し、中間部が、上記中心端子２１の誘電体２３の外面に接面する内面をもつ位置決め部２２Ｂを形成し、前部が、後述の相手コネクタの外側端子を受け入れて該外側端子と接触接続される外側接触部２２Ｃを形成している。該外側接触部２２Ｃの前端縁は相手外側端子の進入を容易とするテーパ導入部２２Ｃ−１が形成されている。上記外側接続部２２Ａと位置決め部２２Ｂの間の部分は後部大径部２２Ｄ、上記位置決め部２２Ｂと外側接触部２２Ｃとの間は前部大径部２２Ｅを形成している。
【００３２】
上記外側端子２２は、軸線方向での該外側端子２２の各部２２Ａ〜２２Ｅと中心端子２１の各部２１Ａ〜２１Ｃ、誘電体２３そして同軸ケーブル１１の各部１３〜１６と次のような位置関係を有しており、この位置関係について図５（Ｃ）をも参照して、以下説明する。
【００３３】
先ず、外側接続部２２Ａは同軸ケーブル１１の誘電体１４と露呈するシールド線１５との間に挿入され露呈した該シールド線１５の軸線方向範囲に位置する。
【００３４】
後部大径部２２Ｄは、軸線方向で、同軸ケーブル１１の誘電体１４の前端位置と中心端子２１の縮径部２１Ａに取り付けられた誘電体２３の後端位置の間の範囲に位置している。この範囲は、芯線１３及び中心接続部２１Ｂの露呈範囲にほぼ等しい。
【００３５】
位置決め部２２Ｂは、軸線方向で中心端子２１に取り付けられた上記誘電体２３の範囲に位置していて、該位置決め部２２Ｂの前後に位置する後部大径部２２Ｄと前部大径部２２Ｅとの間に環状溝部を形成しており、後述するリテーナが該環状溝部をなす位置決め部２２Ｂへ周方向（接線方向）から進入することで、該リテーナにより外側端子２２を半径方向そして軸線方向に位置を定め、その位置を保持する機能を担っている。
【００３６】
前部大径部２２Ｅは、軸線方向にて、中心端子２１の中心接触部２１Ｃの範囲に位置している。すなわち、中心端子２１に取り付けられた誘電体２３の前端位置から上記中心接触部２１Ｃの前端の位置までの範囲にわたっている。
【００３７】
外側接触部２２Ｃは、図５（Ｃ）に見られるように、後述の相手コネクタの外側端子の外側接触部を受け入れてこの接触部と接触する範囲に位置している。
【００３８】
このように位置する外側端子２２は、図３に見られるように、上述した締結金具２４により固定され、上述のリテーナにより位置決めがなされる。リテーナに関しては、後にハウジングとともにさらに説明する。上記締結金具２４は、金属帯板を屈曲して作られていて、上記シールド線１５とともに外側端子２２に対してカシメ結合がなされる前の状態では、図２に見られるように、略Ｕ字状をなし軸線方向で広い範囲で前部に位置する前部締結腕部２４Ａと、狭い範囲で後部に位置する後部締結腕部２４Ｂとを有している。上記前部締結腕部２４Ａは、図１に見られるごとく、シールド線１５と誘電体１４の間に挿入された外側端子２２の外側接続部２２Ａをシールド線１５とともに強力に保持して両者を電気的に確実に接触するように、カシメられて円筒状に成形される。
【００３９】
一方、後部締結腕部２４Ｂは、同軸ケーブル１１の外皮１６に対して直接カシメられて、円筒状に成形される。かくして、締結金具２４により外側端子２２は同軸ケーブル１１にしっかりと接続そして保持される（図３参照）。上記外側端子２２において、外側接続部２２Ａは必ずしも設けていることが求められず、該外側端子２２の部分が上記シールド線１５と接続されていればよい。また、締結部材２４は外側端子２２と一体的に形成されることも可能である。
【００４０】
このように、同軸ケーブル１１に取り付けられたプラグコネクタＩの同軸端子２０、すなわち中心端子２１と外側端子２２は、後述のレセプタクルコネクタIIとの嵌合接続状態のもとで、該レセプタクルコネクタIIの同軸端子との間での特定インピーダンスを確保している。この特定インピーダンスについては、レセプタクルコネクタIIの説明の後に、改めて説明する。
【００４１】
プラグコネクタＩの同軸端子２０が同軸ケーブル１１に取り付けられた状態の同軸端子付ケーブル１０はその同軸端子２０の部分が電気絶縁材料製のハウジング３０内に収められ、所定位置に保持される。図１に見られるハウジング３０には、四本の同軸端子付ケーブル１０が一括して収められている。図３は、組込み過程で、一本だけ未組込状態にある。
【００４２】
ハウジング３０は、上記四本の同軸端子付ケーブル１０の各軸線が平行で、二段二列に配置されるように、軸線方向に対して直角な面での断面形状が略正方形で略直方体外形の四角筒をなしている。ハウジング３０は、図１に見られるように、レセプタクルコネクタIIの方に向く前部に筒状支持部３１を有している。該筒状支持部３１はその外周面がレセプタクルコネクタIIのハウジングに対応して形成された筒状支持部の内周面に嵌合する嵌合外面３１Ａとして形成され、該筒状支持部３１の内周面は上記レセプタクルコネクタIIハウジング内に位置するシールドシェルの部分円筒外面を四つつらねてもつ該シールドシェルの外面を受け入れる受入内面３１Ｂとして形成されている。上記レセプタクルコネクタIIは、後に詳述する。
【００４３】
上記筒状支持部３１内には、上記受入内面３１Ｂの各部分円筒面の中心線上に上記同軸端子付ケーブル１０の外側端子２２が位置している。
【００４４】
上記プラグコネクタＩのハウジング３０は、上記筒状支持部３１の上部外面における前端位置で起立し後方へ延びるロック腕３２を有している。該ロック腕３２はレセプタクルコネクタIIの対応部分と相俟ってロック機構を形成する。上記ハウジング３０は、その上部外面における軸線方向中間位置に逆Ｕ字状の保護枠３３が設けられており、上記ロック腕３２は該保護枠３３の内側空間を貫通して該保護枠３３よりも後方（図１にて左方）位置にまで延びている。該ロック腕３２は、その上面に、上記保護枠３３より前方位置にロック用の係止突部３２Ａが設けられ、後端位置にはロック解除操作用の解除突部３２Ｂが突部形状をなして設けられている。上記係止突部３２Ａは、軸線方向に対して傾斜するテーパ前面、軸線方向に対して直角な垂直後面を有している。
【００４５】
上記ハウジング３０は、軸線方向中間位置で、図２にて外側端子２２に環状溝部として形成されている位置決め部２２Ｂの位置に、係留片をもつ電気絶縁材料製のリテーナ３４が該ハウジング３０の両方の側方から対向して取り付けられるようになっている。両方のリテーナ３４は、ハウジング３０への取付け前の状態を示す図３に見られるように、それらの対向方向で対称な形態に作られていて、上記外側端子２２の位置決め部２２Ｂの範囲を含む軸線方向範囲に、そして上下段の両方の同軸端子付ケーブル１０の外側端子２２の上下方向範囲を含む範囲に及んでいる。該リテーナ３４は、上記軸線方向範囲と上下方向範囲に及ぶ四角形をなす平板状のリテーナ本体３４Ａと、該リテーナ本体３４Ａからハウジング３０内へ上記対向方向に向かって延びる三つの係留片３４Ｂ，３４Ｃ，３４Ｄとを有している。上記リテーナ本体３４Ａは、該リテーナ本体３４Ａに対応して形成された、ハウジング３０の取付窓３５へ取り付けられ、係留片３４Ｂ，３４Ｃ，３４Ｄはハウジング３０の対応位置に形成された挿入溝３６Ａ，３６Ｂ，３６Ｃへ挿入されて上記二つの外側端子２２の環状溝状の位置決め部２２Ｂに該外側端子２２の周方向（接線方向）で進入する大きさそして位置に設けられている。三つの係留片３４Ｂ，３４Ｃ，３４Ｄのうち、上下の係留片３４Ｂ，３４Ｄは中央の係留片３４Ｃよりも肉薄に作られていて、上方の係留片３４Ｂは下方の係留片３４Ｄに対して上下対称な形態をなしている。上方の係留片３４Ｂは上方の外側端子２２の位置決め部２２Ｂの上面に位置し、下方の係留片３４Ｄは下方の外側端子２２の位置決め部２２Ｂの下面に位置し、中央の係留片３４Ｃは上方の外側端子２２の位置決め部２２Ｂと下方の外側端子２２Ｂとの間に位置するように設けられている。
【００４６】
上方の係留片３４Ｂはその下面に、下方の係留片３４Ｄはその上面に、そして、中間の係留片３４Ｃはその上下両面に、それぞれ上記外側端子２２の位置決め部２２Ｂの外周に接面可能な円弧面の部分を有している。上記リテーナ３４は、上記上方の係留片３４Ｂの上面に係止突起３４Ｂ−１を、そして上記下方の係留片３４Ｄの下面に係止突起（図にあらわれず）３４Ｄ−１をそれぞれ有し、対応位置にハウジング３０に設けられた突起３５Ａ、３５Ｂとそれぞれ係止し、リテーナ３４の外れを防止している。かくして、ハウジング３０の両方の側方から、リテーナ３４が上記ハウジング３０の取付窓３５へ取り付けられることで、該リテーナ３４の三つの係留片３４Ｂ，３４Ｃ，３４Ｄが二段二列で合計四本の同軸端子付ケーブル１０をそれぞれの外側端子２２の位置決め部２２Ｂへの進入により外側端子２２を軸線方向でも上下方向でも規定位置に保つように係留する。
【００４７】
次に、上記プラグコネクタＩと嵌合接続されるレセプタクルコネクタIIは、図１に見られるように、同軸端子ユニット５０がその同軸端子部分で電気絶縁材製のハウジング６０内に収容されている。該同軸端子ユニット５０は、下述するように、該同軸端子ユニット５０の本体部５１に外側端子５５を取り付け、これらをシールドシェル５６に収めることで形成されている。上記同軸端子ユニット５０の本体部５１は、プラグコネクタＩの同軸端子付ケーブル１０の場合と同様に、このレセプタクルコネクタIIにおいても、二段二列をなして四本有し、同軸端子の前部分で一括して金属ケース状のシールドシェル５６により保持された同軸端子ユニット５０の状態で上記ハウジング６０内に収められている（図３参照）。
【００４８】
本実施形態では、同軸端子ユニット５０の本体部５１は中心端子５２が誘電体５３と一体成形されていて、二種の本体部５１，５１’を形成している。該本体部５１，５１’は、互いに上記誘電体５３と中心端子５２の長さが異なるだけで、基本的構造は同じであるので、中心端子５２と誘電体５３が長い、一方の本体部５１についてのみ説明する。
【００４９】
本実施形態では、図４に見られるように、レセプタクルコネクタIIの中心端子ユニット５０の本体部５１ は、中心端子５２ が誘電体５３から前方へ突出しており、該中心端子５２の前端（プラグコネクタＩの方へ向く一端）が他部より太く形成されていて中心接触部５４を形成している。この中心接触部５４が設けられた本体部５１は上記シールドシェル７５６に収められた状態で外側端子５５と相俟って同軸端子ユニット５０を形成している。上記シールドシェル５６には図４に見られるように、金属板製のシールド板５８Ａ，５８Ｂが取り付けられる。
【００５０】
本実施形態では、図５（Ｃ）にも見られるように、同軸ケーブル５１の中心端子５２は、プラグコネクタＩにおける芯線１３が素線を撚り線としたものとは異なり、単一の芯材として形成され、Ｌ字状に屈曲されている。該中心端子５２は、上述したように、その前端に他部よりも太く形成された接触部５４が設けられている。
【００５１】
Ｌ字状に屈曲された中心端子５２は、図４に見られるように、中心接触部５４が設けられている横部の前端側と縦部の下端側とが誘電体５３から露呈している。該誘電体５３は、上記中心端子５２の横部を上記前端側を除いて埋設保持する円筒部５３Ａと、上記中心端子５２の縦部を下端側を除いて埋設保持する角柱部５３Ｂとを有している。
【００５２】
かくして、誘電体５３を形成する上記円筒部５３Ａと角柱部５３Ｂが中心端子５２を一体成形で保持することで、本体部５１を形成している。一方、もう一種の本体部５１’は、上記Ｌ字形状の本体部５１の内側（Ｌ字屈曲の内側）位置に配されたときに、前端位置と後端位置が中心端子Ａの前端位置と後端位置にそれぞれ合うように、中心端子５２の長さ（横部と縦部）、したがって、誘電体５３の円筒部５３’Ａと角柱部５３’Ｂの長さが上記円筒部５３Ａと角柱部５３Ｂよりも小さくなっている。
【００５３】
外側端子５５は、金属板を絞り加工して段付の円筒状に形成されていて、図４，５にて後部側をなす大径部が被取付部となる外装基部５５Ａを形成し、前部側をなす小径部が外側接触部５５Ｂを形成する。上記外装基部５５Ａは、その内径が誘電体５３の円筒部５３Ａの外径よりも若干大きく、外径が後述のシールドシェル５６の圧入嵌合部へ圧入される寸法となっている。外側端子５５は、このシールドシェル５６への圧入取付状態で、上記本体部５１の中心端子５２と相俟って、同軸端子ユニット５０を形成する。上記外側端子５５の外側接触部５５Ｂは、外装基部５５Ａがシールドシェル５６へ圧入されたとき、図５に見られるように、上記中心接触部５４よりも後方域で中心端子５２と非接触で該中心端子５２を包囲している。該外側接触部５５Ｂは、前端近傍に半径外方へ膨出した環状の接触突部５５Ｂ−１が形成されているとともに、周方向の複数位置で、前端にまで達するスリット５５Ｂ−２が形成されている。この複数のスリット５５Ｂ−２が設けられていることで、上記外側接触部５５Ｂは半径方向で弾性拡縮径可能となっている。上記外側接触部５５Ｂは、コネクタ嵌合状態では、図５に見られるように、軸線方向で、プラグコネクタＩの外側端子２２の外側接触部２２Ｃ内に位置し、上記接触突部５５Ｂ−１が該外側接触部２２Ｃの内面に対し、弾性力をもって接触するようになっている。このような外側端子５５は、その中心接触部５５Ｂよりも段状に大径となっている外装基部５５Ａが上記プラグコネクタＩの外側端子２２の外側接触部２２Ｃと軸線方向で対向して位置し、かつ互いにほぼ同じ外径をなしている（図５参照）。
【００５４】
上記同軸端子付ケーブル５０の同軸端子部分を収容するシールドシェル５６は、金属材を成形してケース状に作られており、図４に見られるように、前部をなす筒状支持部５７と後部をなす箱状部５８とを有し、両部が一体に成形されている。筒状支持部５７は、軸線方向で、同軸端子２０と同軸端子ユニット５０の嵌合接続状態で接触部の軸線方向範囲、詳述すると、図５に見られるように、プラグコネクタＩの中心端子２１の中心接触部２１Ｃから外側端子２２の外側接触部２２Ｃまでの範囲、そしてこれとほぼ重複する範囲をなす、レセプタクルコネクタIIの外側端子５５の外側接触部５５Ｂから中心接触部５４の範囲をカバーする範囲に及んでいる。上記筒状支持部５７は、二段二列の円筒体を接合して一体にしたかのごとくの形状をなし、円筒内面をもつ四つの孔状の受入部５７Ａが形成されている。各受入部５７Ａは互いに筒状支持部５７の隔壁５７Ａ−１により隔離された独立空間を形成し、いずれも上記箱状部５８の内部空間に連通している。該箱状部５８の内部空間には、筒状支持部５７へ二段二列で形成された孔状の四つの受入部５７Ａ同士間の隔壁５７Ａ−１が軸線方向中程にまで進入して位置している。
【００５５】
箱状部５８は、外形が略立方体をなす本体部５８Ａと、取付底部５８Ｂとを有しており、後方そして下方に開放されている。上記取付底部５８Ｂは、本体部５８Ａの底部にて両方の側方に若干張り出しており、その底面が回路基板（図示せず）等への取付面をなし、また、隅部で下方へ突出して設けられた取付脚５８Ｂ−１が回路基板の対応孔に、例えば半田付けにより取り付けられる。
【００５６】
上記箱状部５８は、下方から二種のシールド板５９Ａ，５９Ｂが取り付けられるようになっている。シールド板５９Ａは、図５（Ｃ）に見られるように、一方の同軸端子ユニット５０の本体部５１の誘電体５３が有する角柱部５３Ｂの後面側の位置で箱状部５８に取り付けられて上記箱状部５８の内部空間を後方で遮蔽してシールドしている。また、もう一方のシールド板５９Ｂは、二種の本体部５１，５１’の誘電体５３，５３’の角柱部５３Ｂ，５３’Ｂ間に位置するように取り付けられ、該シールド板５９Ｂの上端が上記隔壁５７Ａ−１の位置にまで達している。かくして、二段二列に配設された二種の本体部５１，５１’の四つの角柱５３Ｂ，５３’Ｂのそれぞれは、上記二種のシールド板５９Ａ，５９Ｂにより、上記箱状部５８の内部空間内においても、互いにシールドされる。上記シールドシェル５６とシールド板５９Ａ，５９Ｂは、中心端子のシールドという観点では、プラグコネクタＩにおけるシールド線に相当する。
【００５７】
レセプタクルコネクタIIのハウジング６０は、図４に見られるように、全体として四角筒状をなし、隅部に丸みをもつ前筒部６１と、丸みをもたない後筒部６２とを一体に有している。上記前筒部６１と後筒部６２とは、それらの内部空間が互いに連通している。
【００５８】
上記前筒部６１は、上述のシールドシェル５６の筒状支持部５７を該前筒部６１の後方から収容する空間を内部に形成しているとともに、プラグコネクタＩのハウジング３０に設けられたロック腕３２を該前筒部６１の前方から受け入れる空間を形成するように、該前筒部６１の上壁から突出して設けられた上溝壁６３を有している。該上溝壁６３は、軸線方向で後方に延び上記後筒部６２の中間位置にまで達している。該上溝壁６３はその後端縁（プラグコネクタＩに向う位置の端縁）部でロック係止部６３Ａを形成し、該ロック係止部６３Ａよりも後方に向け上下に貫通したロック空間６３Ｂを形成している。該ロック空間６３Ｂの両側に位置する側部６３Ｂ−１はロック腕３２をその側面にて前後に案内する。上記後筒部６２の側面には、二つのスリット６２Ａが後端まで延びて形成されていて、二つのスリット６２Ａ間が弾性片６２Ｂを形成し、該弾性片６２Ｂの後端内側には、上述のシールドシェル５６の箱状部５８の後縁５８Ａに係止する係止突起６２Ｂ−１が設けられている（図５参照）。かくして、ハウジング６０はシールドシェル５６へ外嵌され、上記係止突起６２Ｂ−１がシールドシェル５６の後縁５８Ａに係止し、抜けが防止される。
【００５９】
上記ロック空間６３Ｂの後縁は、上記ロック腕３２の前端に対する該ロック腕３２の後方への移動量を規制するストッパ面６３Ｃを形成している。かくして、プラグコネクタＩがレセプタクルコネクタIIに嵌合されると、同軸端子２０と同軸端子ユニット５０が嵌合接続されるとともに、上記プラグコネクタＩのハウジング３０の嵌合筒部３１がレセプタクルコネクタIIのハウジング６０の前筒部６１に進入し、その進入過程において、ロック腕３２が上溝壁６３の溝内に貫入し前進する。ロック腕３２は、その前端の係止突部３２Ａが上記上溝壁６３のロック係止部６３Ａに当接し、係止突部３２Ａの傾斜した前面で上記ロック係止部６３Ａから下方への押圧力を受けて、該ロック腕３２が下方へ弾性撓みを生じて、該ロック係止部６３Ａを通過してさらに前進する。該ロック係止部６３Ａが上記ロック係止部６３の位置を通過すると、その直後に上記押圧力が解除され上記ロック腕３２は弾性撓み前の状態に戻る。該ロック腕３２はその前端が上記ストッパ面６３Ｃに当接する位置を最前進位置とする。図５（Ｃ）は、その最前進位置にある状態を示している。また、上記ロック腕３２は上記最前進位置から後退しようとすると係止突部３２Ａの垂直後面が上記ロック係止部６３Ａの後面に当接し、抜けが阻止される。かくして、コネクタの嵌合状態で、上記ロック腕３２とロック係止部６３Ａとで両コネクタＩ，IIの間でのロック機構が得られ、意図した抜出操作を行わない限り、不用意な外力がケーブルに作用してもコネクタ同士が抜けない、いわゆる完全ロックが達成される（図５（Ａ）〜（Ｃ）をも参照）。
【００６０】
本実施形態では、プラグコネクタＩの上記ロック腕３２の前端から該ロック腕３２に設けられた係止突部３２Ａの後端までの距離（前者）が、レセプタクルコネクタIIのストッパ面６３Ｃとロック係止部６３Ａの前面との距離（後者）よりも小さく設定されている。すなわち、上記プラグコネクタＩとレセプタクルコネクタIIとは、コネクタ嵌合状態において、完全ロック状態にあるといえども、ハウジング３０，６０同士が上記前者の距離と後者の距離との差分を隙間として相対的に移動が可能となっている。すなわち、図５（Ａ），（Ｃ）に見られるような、プラグコネクタＩのロック腕３２の前端がレセプタクルコネクタIIのハウジング６０の前筒部６１に当接していて、ロック腕３２の係止突起３２Ａの後面と上記ハウジング６０のロック係止部６３Ａとの間に隙間δを形成している前進状態と、プラグコネクタＩが後退して図６（Ａ），（Ｃ）に見られるような、上記ロック腕３２の係止突部３２Ａが上記ロック係止部６３Ａに当接して、ロック腕３２の前端と上記前筒部６１との間に隙間δを形成する後退状態のいずれか一方から他方への移動である。上記隙間δは、上記ロック腕３２が梃子の原理で撓みを生ずるロック機構における上記ロック腕３２の係止突部３２Ａがロック係止部６３Ａと係止そして係止解除を円滑に行うために必要である。しかもプラグコネクタＩとレセプタクルコネクタIIとは、ケーブルが結線された同軸端子とハウジングとの間に不可避な軸線方向ガタがある。したがって、両コネクタＩ，IIが嵌合状態にあっても、ケーブルに軸線方向に外力が作用した際には、同軸端子における接触点位置は、軸線方向で上記隙間δと上記ガタとの和に相当する距離だけ、ずれる可能性があり、このずれの最大可能範囲を同軸端子同士についての相対移動範囲と定義する。すなわち、図５に示す位置と図６に示す位置との間を軸線方向にずれる可能性がある。
【００６１】
一方、両コネクタＩ，IIの同軸端子 ２０と同軸端子ユニット５０の嵌合接続に際し、両者の接触開始位置から接触終了位置までの軸線方向距離（長さ）は、有効嵌合長として一般に定義されている。この有効嵌合長は、中心端子２１，５２同士間、そして外側端子２２，５５同士間について存在し、ここでは、中心端子２１，５２同士間を中心端子有効嵌合長、そして外側端子２２，５５同士間を外側端子有効嵌合長と定義する。本実施形態において、上述した同軸端子同士についての相対移動範囲は、中心端子有効嵌合長と外側端子有効嵌合長の短い方をなす最小有効嵌合長よりも小さく設定されている。
【００６２】
本発明では、上記プラグコネクタＩと上記レセプタクルコネクタIIの一方のコネクタの同軸端子の外側端子は、中心端子の中心接触部に対する軸線方向での対応範囲よりも小径で該対応範囲から他方のコネクタの同軸端子に向け延びる外側接触部を有し、他方のコネクタの同軸端子の外側端子は、誘電体に外装される外装基部よりも小径で軸線方向で中心端子の途中位置まで延びる外側接触部を有し、他方のコネクタの同軸端子の中心端子は、軸線方向で外側端子よりも一方のコネクタの同軸端子の方へ突出する中心接触部の径が該他方のコネクタの同軸端子の上記外側接触部で包囲された部分よりも大きいように形成されている。かくして、同軸端子２０と同軸端子ユニット５０は、コネクタ嵌合状態において、上記最小有効嵌合長の軸線方向範囲がすでに説明した特定インピーダンスに整合されている。
【００６３】
本実施形態では、図５の状態を基準に考えると、図５の状態から図６の状態になった場合、プラグコネクタＩの外側接触部２２ＣとレセプタクルコネクタIIの外側接触部５５Ｂとの前後方向の位置がずれるが、中心端子５２と外側接触部５５Ｂとの距離は変化しないので、この部分のインピーダンス整合は保たれる。これと同時に、中心接触部２１Ｃと中心接触部５４の前後方向の位置がずれ、図５にて中心接触部５４の嵌合していた部分が図６では露出されるが、外側接触部２２Ｃの内径に対応するように中心端子５２よりも拡径させて突出させた中心接触部５４が外側接触部２２Ｃと対向する領域が増加するに過ぎないので、この部分でのインピーダンス整合も保たれる。このように構成される本発明の同軸コネクタ組立体は、次の要領で各部材を取り付けて同軸端子付ケーブルを形成し、同軸端子同士を嵌合接続して使用される。
【００６４】
先ず、プラグコネクタＩは、図２に見られる同軸ケーブル１１に中心端子と外側端子２２を取り付け、締結金具２４でケーブルを締結することで、図３に見られる同軸端子２０を有する同軸端子付ケーブル１０を得る。
【００６５】
かかる同軸端子付ケーブル１０を四本用意し、図３に見られるように、ハウジング３０へ、二段二列をなすようにして、順次組み込む。しかる後、ハウジング３０に対し、両方の側方から、リテーナ３４を取り付け、該リテーナの係留片３４Ｂ，３４Ｃ，３４Ｄにより各同軸端子付ケーブル１０をその外側端子２２に対して、半径方向そして軸線方向に位置決めし、かくして、図１に見られるプラグコネクタＩが得られる。
【００６６】
次に、レセプタクルコネクタIIは、二種の本体部５１，５１’についてそれぞれ二本、すなわち合計四本をシールドシェル５６へ、該シールドシェル５６の後方から組み込み、各中心接触部５４がシールドシェル５６の孔状の各受入部５７Ａ内に位置するように組み込む。この組込み状態では、各本体部５１，５１’の誘電体５３，５３’はシールドシェル５６の後部をなす箱状部５８の内部空間に位置するようになる。しかる後、各中心接触部５４を包囲するようにして、外側端子５５をシールドシェル５６の受入部５７Ａへ圧入する。かくして、中心接触部５４と外側端子５５とで同軸端子５６を形成するようになる。
【００６７】
５１，５１’をシールドシェル５６へ組み込んだ後、シールド板５９Ａ，５９Ｂを下方から該シールドシェル５６へ取り付けて、各本体部５１，５１’の角柱部５３Ｂ，５３’Ｂをシールドする。
【００６８】
かくして同軸端子付ユニット５０が組み込まれたシールドシェル５６に対し、ハウジング６０が取り付けられる。該ハウジング６０の後端に設けられた係止突起６２Ｂ−１がシールドシェル５６の後端縁に係止し、ハウジング６０はシールドシェル５６から外れなくなる。こうして、図１に示されるレセプタクルコネクタIIが得られる。該レセプタクルコネクタIIは取付脚５８Ｂ−１が回路基板の対応孔に挿入されて位置決めされ、中心端子５２の下端が回路基板の対応回路部に半田接続される。
【００６９】
コネクタの使用に際しては、プラグコネクタＩとレセプタクルコネクタIIとを、両ハウジング３０，６０同士を嵌合させる。この嵌合は、プラグコネクタＩのロック腕３２がレセプタクルコネクタIIのハウジング６０に設けられた上溝壁６３の溝内に進入し、ロック腕３２の係止突部３２Ａが上記上溝壁６３から押圧力を受けてロック腕３２が弾性撓みを生じ、この係止突部３２Ａがロック係止部６３Ａを通過するまでなされる。この時点で、両コネクタＩ，IIは嵌合接続が完了し、プラグコネクタＩの同軸端子２０とレセプタクルコネクタIIの同軸端子ユニット５０が接続状態となる。かくして両コネクタＩ，IIは抜けが阻止される完全ロック状態となる。この嵌合接続状態にあっても、両コネクタＩ，IIは、既述したように相対移動範囲をもっていて、外力を受けることで、この範囲内で軸線方向に相対移動することがある。これは、同軸端子２０と同軸端子ユニット５０もこの範囲で相対移動する可能性があることを意味している。しかしながら、本発明では、上記相対移動範囲内では同軸端子間の特定インピーダンスの整合がなされており、コネクタの接続時における電気的特性に何ら影響をもたらさない。
【００７０】
本発明は、図１ないし図６に図示し説明した形態に限らず、変形が可能である。その変形例を示す図７において、レセプタクルコネクタIIの中心端子ユニット５０の本体部５１における中心端子５２は、幅細の長い金属帯状材を二重に折り重ねることで幅と厚みがほぼ等しい芯材として形成されているとともに、該中心端子５２の前端部が中心接触部５４を形成するとともに、該中心接触部５４が上記中心端子５２と一体的に形成されている。
【００７１】
上記中心端子５２は、その前端部が帯状材を前方から後方に向け折曲することで折り重ね合って中心接触部５４を形成し、該中心接触部５４よりも後方の部は、帯状材の幅方向（図７にて紙面に対して直角方向）に折曲することで折り重ね合うようになっている。
【００７２】
図７の形態は、上記中心端子５２そして中心接触部５４が金属帯状材で一体に成形されている点に特徴があり、それ以外は前出の形態と同じであり、前出の図における符号と同一符号を付すにとどめ、その説明は省略する。
【００７３】
さらに、本発明では、プラグコネクタとレセプタクルコネクタの少なくとも一方がケーブルコネクタとし、実施形態では、プラグコネクタをケーブルコネクタである一例として示したが、これに限らずレセプタクルコネクタの方をケーブルコネクタとしても、あるいは両方のコネクタをケーブルコネクタとしてもよい。例えば、図示したレセプタクルコネクタIIをケーブルコネクタとする場合には、該レセプタクルコネクタIIの外側端子５５の後部がプラグコネクタの外側端子２２の前部大径部２２Ｅと組み合わせる構造になり、レセプタクルコネクタIIのハウジング６０の後筒部６２がプラグコネクタＩのリテーナ３４より後方の構造と同様になる。要は、嵌合部、ロック部を除いて、プラグコネクタの構造を適用させてケーブルコネクタになる。
【符号の説明】
【００７４】
１１  同軸ケーブル                        ５５  外側端子
１３  芯線                                ５５Ａ  外装基部
１５  シールド線                          ５５Ｂ  外側接触部
２０  同軸端子                            ５６  シールドシェル
２１  中心端子                            ５７  支持筒部
２２  外側端子                            ５９Ａ  シールド板
２２Ｃ  外側接触部                        ５９Ｂ  シールド板
３０  ハウジング                          ６０  ハウジング
３２  ロック機構（ロック腕）              ６３Ａ  ロック機構（ロック係止部）
５０  同軸端子（同軸端子ユニット）        Ｉ  プラグコネクタ
５２  中心端子                            II  レセプタクルコネクタ
【図１】
2019003856.tif 000003
【図２】
2019003856.tif 000004
【図３】
2019003856.tif 000005
【図４】
2019003856.tif 000006
【図５】
2019003856.tif 000007
【図６】
2019003856.tif 000008
【図７】
2019003856.tif 000009